(57)【特許請求の範囲】
【請求項１】
開口部が形成された前面パネルと、
第１突起を有し、前記前面パネルのうち前記開口部の上部で取り付けられるひさしと、
前記前面パネルに取り付けられるファンガードと、を備え、
前記ひさしが前記前面パネルに取り付けられた状態で、前記第１突起は、前記ファンガードの一部と係合して前記ファンガードの下方への移動を規制し、
前記ファンガードは、縦方向に延びる複数の縦桟と、左右方向に延びる横桟とを有し、
前記ひさしが前記前面パネルに取り付けられた状態で、前記第１突起は、隣接する前記縦桟間の空間に位置し、前記横桟と引っ掛かり係合して前記ファンガードの下方への移動を規制する
ことを特徴とする空気調和機の室外機。
【請求項２】
前記横桟を複数有し、
前記前面パネルは、上部両側に仮固定穴を備え、
前記縦桟は、前記ファンガードの両側に設けられ、前記仮固定穴に挿入される先端部を有する第２縦桟と、前記ファンガードの両側に設けられた前記第２縦桟の間に設けられた第１縦桟とを備え、
前記ひさしが前記前面パネルに取り付けられた状態で、前記第２縦桟の前記先端部を前記前面パネルの前記仮固定穴にそれぞれ挿入したとき、前記第１突起は、隣接する前記第１縦桟間の空間に位置し、最も上部の前記横桟と引っ掛かり係合して前記ファンガードの下方への移動を規制する
ことを特徴とする請求項１に記載の空気調和機の室外機。
【請求項３】
前記ひさしは、前方に突出する第２突起を有し、
前記ひさしが前記前面パネルに取り付けられ、前記第２突起が前記ファンガードと当接して前方に向かう圧力が前記ファンガードに付与された状態で、前記ファンガードが前記前面パネルに取り付けられる
ことを特徴とする請求項１又は請求項２に記載の空気調和機の室外機。
【発明の詳細な説明】
【技術分野】
【０００１】
本発明は、空気調和機の室外機に関する。
【背景技術】
【０００２】
従来、前面パネルに形成された開口部の一部を覆うグリルを備えた空気調和機の室外機があった（例えば、特許文献１参照）。また、氷柱の発生を抑制するために、前面パネルに形成された開口部の上方にひさしを設け、吹出グリルの延長部を前面パネルのグリル取付穴に挿入することで、吹出グリルを前面パネルに取り付ける空気調和機の室外機があった（例えば、特許文献２参照）。
【先行技術文献】
【特許文献】
【０００３】
【特許文献１】特開２００６−２０７９７１号公報（［００１２］、図２）
【特許文献２】特開２０１１−２１６７号公報（［００１３］、［００１４］、図１、図２）
【発明の概要】
【発明が解決しようとする課題】
【０００４】
特許文献１には、グリル（ファンガード）を備えた空気調和機の室外機が開示されているが、ファンガードの前面パネルへの取り付けについて具体的に記載されていない。また、特許文献２記載の空気調和機の室外機は、吹出グリル（ファンガード）を前面パネルに取り付けるとき、取付位置がずれてしまう可能性がある。また、特許文献２では、ひさし及びファンガードを個別に前面パネルに取り付けるため、取付作業の手間が増え、作業性が悪い。また、運転中の室外機の振動により、ファンガードが微小振動してファンガードとひさしとが接触したり離れたりを繰り返し、異音が発生する可能性があるため、異音発生を抑制することが望まれていた。
【０００５】
本発明は、上述のような課題を背景としてなされたものであり、取付作業の手間を軽減して作業性を良くする空気調和機の室外機を提供することを目的とする。
【課題を解決するための手段】
【０００６】
本発明の空気調和機の室外機は、開口部が形成された前面パネルと、第１突起を有し、前記前面パネルのうち前記開口部の上部で取り付けられるひさしと、前記前面パネルに取り付けられるファンガードと、を備え、前記ひさしが前記前面パネルに取り付けられた状態で、前記第１突起は、前記ファンガードの一部と係合して前記ファンガードの下方への移動を規制し、前記ファンガードは、縦方向に延びる複数の縦桟と、左右方向に延びる横桟とを有し、前記ひさしが前記前面パネルに取り付けられた状態で、前記第１突起は、隣接する前記縦桟間の空間に位置し、前記横桟と引っ掛かり係合して前記ファンガードの下方への移動を規制するものである。
【発明の効果】
【０００７】
本発明によれば、ひさしが前面パネルに取り付けられた状態で、第１突起は、ファンガードの一部と係合してファンガードの下方への移動を規制する。このため、取付作業の手間を軽減して作業性を良くすることができる。
【図面の簡単な説明】
【０００８】
【図１】本発明の実施の形態に係る室外機１００の斜視図である。
【図２】本発明の実施の形態に係る室外機１００の一部を分解した分解斜視図である。
【図３】本発明の実施の形態に係る室外機１００の内部構造を示す側面図である。
【図４】本発明の実施の形態に係る室外機１００のひさし４を示す図である。
【図５】本発明の実施の形態に係る室外機１００の上部を拡大して示す斜視図である。
【図６】本発明の実施の形態に係る室外機１００の前面パネル１付近の各部品の位置関係を示す側面図であり、図５のＸ方向から見た図である。
【図７】本発明の実施の形態に係る室外機１００の前面パネル１付近の各部品の位置関係を示す側面図であり、図５のＹ方向から見た図である。
【図８】本発明の実施の形態に係る室外機１００の下部を拡大して示す斜視図である。
【発明を実施するための形態】
【０００９】
以下、本発明の一実施形態における空気調和機の室外機について説明する。なお、以下に示す実施の形態によって本発明が限定されるものではない。また、以下の説明において、理解を容易にするために位置を表す用語（例えば「上」、「下」など）を適宜用いるが、これは説明のためのものであって、これらの用語は本発明を限定するものではない。
【００１０】
図１は本発明の実施の形態に係る室外機１００の斜視図である。図２は室外機１００の一部を分解した分解斜視図である。
図１，図２に示されるように、室外機１００は、前面パネル１と、側面パネル２と、天面パネル３と、ひさし４と、ファン５と、ファンガード６と、を備える。室外機１００の外郭は、前面パネル１、側面パネル２、及び天面パネル３で構成されている。前面パネル１には、送風用風路の開口部１ａが形成されている。また、前面パネル１には、爪挿入穴１ｂ１及び仮固定穴１ｂ２が形成されている。また、ファンガード６にはボルト挿入穴６ｂ４が形成されている。爪挿入穴１ｂ１、仮固定穴１ｂ２、及びボルト挿入穴６ｂ４の詳細については後述する。
【００１１】
前面パネル１の前面側で且つ開口部１ａの上部には、ひさし４が設けられる。ひさし４の詳細については後述する。また、ひさし４の前面側であって開口部１ａに対向する位置には、ファンガード６が設けられる。このように、ファンガード６が設けられることで、使用者の手がファン５に接触することを抑制できる。
【００１２】
図３は室外機１００の内部構造を示す側面図である。
図３に示されるように、室外機１００の内部の背面側には熱交換器７が設けられている。熱交換器７の前方には、ファン５が設けられている。ファン５は、モータ９を介して固定部材８に取り付けられる。モータ９は、ファン５を回転駆動させるためのものである。ファン５が回転駆動されると、外気が、室外機１００の背面側から室外機１００の内部に導入される。そして、熱交換器７によって熱交換された空気が、開口部１ａから吹き出される。なお、熱交換器７は室外機１００の側面に設けられていてもよい。
【００１３】
図４は室外機１００のひさし４を示す図である。図４に示されるように、ひさし４は、爪４ａと、異音発生を抑制する張力突起４ｂと、仮固定突起４ｃとを備える。ひさし４は、例えば樹脂で構成され、氷柱発生を抑制する部材である。ひさし４は、平面視した状態で直線状に延び、正面視した状態で両側が下方に折れ曲がった形状を有する。また、ひさし４は、側面視した状態でＬ字形状となるように形成され、水平面４Ａ及び垂直面４Ｂが形成されている。水平面４Ａは、室外機１００の上方から落下した水分を受ける。なお、ひさし４の形状は厳密なＬ字形状に限定されるものではない。また、ひさし４の具体的な形状は、図示のものに限定されず、氷柱発生を抑制することができれば他の形状を採用してもよい。また、ひさし４を樹脂でなく金属で構成してもよい。
【００１４】
図５は室外機１００の上部を拡大して示す斜視図である。図６は室外機１００の前面パネル１付近の各部品の位置関係を示す側面図であり、図５のＸ方向から見た図である。図７は室外機１００の前面パネル１付近の各部品の位置関係を示す側面図であり、図５のＹ方向から見た図である。図８は室外機１００の下部を拡大して示す斜視図である。
【００１５】
張力突起４ｂは、ファンガード６が前面パネル１に取り付けられた状態で、複数の縦桟６ｂのうち一部の縦桟６ｂと当接する部位であり、ひさし４の前面端から前方に突出している。仮固定突起４ｃは、ファンガード６の前面パネル１への取付状態が解除されないようにするための部位であり、ひさし４の前端から上方に突出するように設けられている。
【００１６】
図５に示されるように、ファンガード６は、横桟６ａ及び縦桟６ｂを有する、例えばワイヤー製の部材である。横桟６ａは、所定の間隔毎に左右方向に延びるように複数設けられた桟である。縦桟６ｂは、所定の間隔毎に縦方向に複数設けられた桟であり、横桟６ａとは垂直方向に設けられている。縦桟６ｂは、第１縦桟６ｂ１及び第２縦桟６ｂ２を備える。第１縦桟６ｂ１は、ファンガード６が前面パネル１に取り付けられた状態で、仮固定突起４ｃに最も近い左方に位置する縦桟である。第２縦桟６ｂ２の上部には先端部６ｂ３が設けられ、第２縦桟６ｂ２の下部にはボルト挿入穴６ｂ４が形成されている。なお、横桟６ａ及び縦桟６ｂの具体的な数は、図示の数に限定されるものではない。
【００１７】
図６に示されるように、爪４ａは、爪挿入穴１ｂ１に挿入される部位であり、ひさし４の背面側から下方に突出している。これによって、ひさし４が前面パネル１に取り付けられることになる。このため、爪４ａは、爪４ａを爪挿入穴１ｂ１に挿入したときに、爪挿入穴１ｂ１の周縁に引っ掛かるような構造を備えておくとよい。
【００１８】
図７に示されるように、先端部６ｂ３は、前面パネル１の上部両側に形成された仮固定穴１ｂ２に挿入される部位である。第２縦桟６ｂ２のボルト挿入穴６ｂ４は、ボルト１０が挿通される開口であり、第２縦桟６ｂ２の下端に形成されている。なお、ボルト挿入穴６ｂ４を第２縦桟６ｂ２以外の縦桟６ｂに設けてもよい。
【００１９】
このように、室外機１００の前面右側における前面パネル１、ひさし４、及びファンガード６の構造について説明したが、室外機１００の前面左側における構造も同様であり、室外機１００の前面右側における構造と対称となっている。
【００２０】
以下に、ひさし４及びファンガード６を前面パネル１に取り付ける手順について説明する。まず、爪４ａを爪挿入穴１ｂ１に挿入し引っ掛けて、ひさし４を前面パネル１に固定する。次に、ファンガード６の両側の第２縦桟６ｂ２の先端部６ｂ３を、前面パネル１の上部両側に設けられた仮固定穴１ｂ２にそれぞれ挿入する。このとき、仮固定突起４ｃは、隣接する縦桟６ｂ間の空間に位置するようになっている。そして、複数の縦桟６ｂのうち最も上部の縦桟６ｂが、ひさし４の仮固定突起４ｃに引っ掛かり係合する。これにより、ファンガード６の下方への移動が規制され、ファンガード６が前面パネル１に取り付けられる。
【００２１】
そして、ボルト１０が、縦桟６ｂのボルト挿入穴６ｂ４に挿通されると、ファンガード６が前面パネル１に固定される。このとき、張力突起４ｂが、横桟６ａまたは縦桟６ｂと当接し、張力突起４ｂが、横桟６ａまたは縦桟６ｂに対して前方に向かう圧力を付与する。このため、ビビリ音の発生を抑制できる。したがって、運転中の室外機１００の振動により、ファンガード６の微小振動が抑制されるため、ファンガード６がひさし４と接触しあるいは離れたりが繰り返されることを抑制でき、異音の発生を抑制できる。
【００２２】
以上のように、本実施の形態に係る室外機１００は、開口部１ａが形成された前面パネル１と、仮固定突起４ｃを有し、前面パネル１のうち開口部１ａの上部で取り付けられるひさし４と、前面パネル１に取り付けられるファンガード６と、を備え、ひさし４が前面パネル１に取り付けられた状態で、仮固定突起４ｃは、ファンガード６の一部と係合してファンガード６の下方への移動を規制する。このため、ファンガード６を前面パネル１にボルト１０を用いて固定するとき、ファンガード６を把持する必要がなくなる。したがって、取付作業の手間を軽減して作業性を向上させることができる。このようにして、室外機１００の生産性が向上する。また、ファンガード６の前方への転倒を抑制でき、仮固定穴１ｂ２を中心に回転して落下することを抑制できる。
【００２３】
なお、ひさし４に設けられる仮固定突起４ｃは、ひさし４の中央に１個設けてもよく、ひさし４の左右端部に１個ずつ設けてもよく、ひさし４の大きさに応じて３個以上設けてもよい。すなわち、ファンガード６を前面パネル１に仮固定できればよく、仮固定突起４ｃの具体的な数は上述した数に限定されない。また、張力突起４ｂの個数も上述した数に限定されず、複数設けられていてもよい。
【００２４】
また、ボルト１０を用いてファンガード６を前面パネル１に固定する例について説明したが、ボルト１０でなく他の固定手段を用いてもよい。例えば、先端部が折れ曲がった鉤状の突起を用いて、ファンガード６を前面パネル１に固定してもよい。
【００２５】
また、仮固定突起４ｃが、本発明の「第１突起」に相当し、張力突起４ｂが、本発明の「第２突起」に相当する。
【符号の説明】
【００２６】
１  前面パネル、１ａ  開口部、１ｂ１  爪挿入穴、１ｂ２  仮固定穴、２  側面パネル、３  天面パネル、４  ひさし、４Ａ  水平面、４Ｂ  垂直面、４ａ  爪、４ｂ  張力突起、４ｃ  仮固定突起、５  ファン、６  ファンガード、６ａ  横桟、６ｂ  縦桟、６ｂ１  第１縦桟、６ｂ２  第２縦桟、６ｂ３  先端部、６ｂ４  ボルト挿入穴、７  熱交換器、８  固定部材、９  モータ、１０  ボルト、１００  室外機。
【図１】
0005984760.tif 000002
【図２】
0005984760.tif 000003
【図３】
0005984760.tif 000004
【図４】
0005984760.tif 000005
【図５】
0005984760.tif 000006
【図６】
0005984760.tif 000007
【図７】
0005984760.tif 000008
【図８】
0005984760.tif 000009